(57)【要約】【課題】ステップ板の下側空間を、人が使用するかまたは他の用途に使用することができ、空間活用度が高いキャットタワーを提供すること。【解決手段】平たい上面を有する１つ以上の引き出し１００と；上面が平たいプレート形状よりなり、前記引き出し１００の側面または上側に位置し、かつ猫が順次に踏んで登ることができるように階段パターンで配列される２つ以上のステップ板２００と；前記ステップ板２００を前記引き出し１００に結合させる固定板３００と；を備えるキャットタワー。【選択図】図１
0003196888.tif 000002
【実用新案登録請求の範囲】
【請求項１】
平たい上面を有する１つ以上の引き出し１００と；
上面が平たいプレート形状よりなり、前記引き出し１００の側面または上側に位置し、かつ猫が順次に踏んで登ることができるように階段パターンで配列される２つ以上のステップ板２００と；
前記ステップ板２００を前記引き出し１００に結合させる固定板３００と；を備える
ことを特徴とするキャットタワー。
【請求項２】
前記引き出し１００より高く構成され、かつ上面が猫が座るかまたは立つことができるように平面状に形成され、前記引き出し１００と前面及び後面がそれぞれ１つの平面を成すように前記引き出し１００の一側に装着されるたんす１１０を備え、
前記ステップ板２００は、前記引き出し１００の上面から前記たんす１１０の上面まで階段形態で離隔設置される
請求項１に記載のキャットタワー。
【請求項３】
前記固定板３００は、互いに平行になるように対で具備され、かついずれか１つの固定板３００は、前記たんす１１０の前面と１つの平面を成すように配置され、他の１つの固定板３００は、前記たんす１１０の後面と１つの平面を成すように配置され、
前記ステップ板２００は、水平に配列され、前記一対の固定板３００の間に挿入設置され、
垂直に立設した平板形状に構成され、前記ステップ板２００の一側端と前記一対の固定板３００との間に挿入設置され、猫が通過できる移動通路４１０が形成された垂直板４００を備える
請求項１または２に記載のキャットタワー。
【請求項４】
直方体形状のボックス形態に構成され、前記引き出し１００の上側または下側に積層構造で結合されるトイレ容器５００を備え、
前記トイレ容器５００は、前記トイレ容器５００の内部空間の中段を横切るように設置される２つ以上の水平バー５１０と、前記トイレ容器５００の内部空間のうち前記水平バー５１０が設置された地点より上側に位置する空間の一側に具備され、猫出入りが可能なサイズの出入り孔５３２が形成された出入り板５３０と、前記トイレ容器５００の床に積層される猫砂とを備える
請求項１ないし３のいずれかに記載のキャットタワー。
【考案の詳細な説明】
【技術分野】
【０００１】
本考案は、キャットタワーに関し、詳細には、猫が足で踏んで登るステップ板の下側空間に引き出しが具備され、空間活用性が向上したキャットタワーに関する。
【背景技術】
【０００２】
一般的に、人と共同で生活する猫は室内で飼育され、狭い空間で活動が制限されることによって、運動不足やストレスに起因して肥満化の傾向が高い。このような猫の運動不足やストレスを解消させるために、タワー形態の遊具を設置し、猫が自由に上下動しながら活動するキャットタワーは、従来より続いて提案使用されているところ、これらは、大きく、２つの方式に大別される。
【０００３】
すなわち、従来のキャットタワーは、床と天井に支柱を支持させた後、該支柱にステップ板が結合設置される支柱方式と、床に支持される重量体にポールを結合設置した後、該ポールにステップ板が結合設置される起立ポール方式などとに区分することができる。
【０００４】
まず、支柱方式を利用する従来技術は、例えば、特許文献１の猫用遊戯装置、特許文献２の猫用遊具などがあり、この従来技術は、多段形式で支柱の高さの調節が容易にして、床と天井の隔離距離に制限されることなく、多様な隔離距離でも設置が可能にしており、特に特許文献１は、多段で結合設置された支柱の間にステップ板を設置し、支柱を水平方向に相次いで設置することができることもちろん、水平方向に相次いで設置された支柱のステップ板を特定の方向に回転し、設置状態を制限的でも変更できるようにしている。
【０００５】
また、起立ポール方式を利用する従来技術は、例えば、特許文献３の愛玩動物用遊戯施設があり、この従来技術は、床に支持される重量体に起立ポールが設置され、該起立ポールにステップ板が結合設置される構成である。
【０００６】
しかし、前述した従来のキャットタワーは、猫が使用する遊具の機能のみを行うので、前記キャットタワーが占める空間が人にとって無用な空間になるという短所がある。すなわち、キャットタワーは、猫が高い位置まで登ることができるようにするための構造物なので、下段から上段まで連続的に配列されたステップ板が階段式に配置され、このようなステップ板の下部の空間は、単純にステップ板を支持するための用途に活用されるだけで、他の用途としては全然活用されないので、室内空間の活用性が非常に低くなるという短所がある。
【先行技術文献】
【特許文献】
【０００７】
【特許文献１】日本国特許登録第４５０３８７７号公報
【特許文献２】日本国特許公開第２０１２−２４０６６号公報
【特許文献３】韓国特許登録第１０−０７５４３４５号公報
【考案の概要】
【考案が解決しようとする課題】
【０００８】
本考案は、前述のような問題点を解決するために提案されたものであって、その課題的は、ステップ板の下側空間を、人が使用するかまたは他の用途に使用することができ、空間活用度が高いキャットタワーを提供することである。
【課題を解決するための手段】
【０００９】
上記課題を達成するために、本考案によるキャットタワーは、平たい上面を有する１つ以上の引き出しと；上面が平たいプレート形状よりなり、前記引き出しの側面または上側に位置し、かつ猫が順次に踏んで登ることができるように階段パターンで配列される２つ以上のステップ板と；前記ステップ板を前記引き出しに結合させる固定板と；を含んで構成される。
【００１０】
前記引き出しより高く製作され、かつ上面が猫が座るかまたは立つことができるように平面状に形成され、前記引き出しと前面及び後面がそれぞれ１つの平面を成すように前記引き出しの一側に装着されるたんすをさらに含み、前記ステップ板は、前記引き出しの上面から前記たんすの上面まで階段形態で離隔設置される。
【００１１】
前記固定板は、互いに平行になるように対で具備され、かついずれか１つの固定板は、前記たんすの前面と１つの平面を成すように配置され、他の１つの固定板は、前記たんすの後面と１つの平面を成すように配置され、前記ステップ板は、水平に配列され、前記一対の固定板の間に挿入設置され、垂直に立設された平板形状に製作され、前記ステップ板の一側の端部と前記一対の固定板の間に挿入設置され、猫が通過することができる移動通路が形成された垂直板をさらに含む。
【００１２】
直方体形状のボックス形態に製作され、前記引き出しの上側または下側に積層構造で結合されるトイレ容器をさらに含み、前記トイレ容器は、前記トイレ容器の内部空間の中段を横切るように設置される２つ以上の水平バーと、前記トイレ容器の内部空間のうち前記水平バーが設置された地点より上側に位置する空間の一側に具備され、猫出入りが可能なサイズの出入り孔が形成された出入り板と、前記トイレ容器の床に積層される猫砂とを含んで構成される。
【考案の効果】
【００１３】
本考案によるキャットタワーは、猫が登るステップ板の下側空間を人が使用する引き出しやたんすとして活用することができ、猫用トイレ容器として活用することができるので、室内空間の活用性が非常に高くなり、活用度に優れているという長所がある。
【図面の簡単な説明】
【００１４】
【図１】本考案の第１実施形態によるキャットタワーの斜視図
【図２】本考案の第１実施形態によるキャットタワーの正面図
【図３】本考案の第１実施形態によるキャットタワーの後面斜視図
【図４】本考案の第２実施形態によるキャットタワーの斜視図
【図５】本考案の第２実施形態によるキャットタワーの正面図
【図６】本考案の第２実施形態によるキャットタワーの後面斜視図
【図７】本考案の第３実施形態によるキャットタワーの斜視図
【図８】本考案の第３実施形態によるキャットタワーの正面図
【図９】本考案の第３実施形態によるキャットタワーに含まれるトイレ容器の斜視図及び水平断面図
【図１０】本考案の第３実施形態によるキャットタワーに含まれるトイレ容器の斜視図及び水平断面図
【考案を実施するための形態】
【００１５】
以下、添付の図面を参照して本考案によるキャットタワーの実施形態を詳しく説明する。
【００１６】
図１は、本考案の第１実施形態 によるキャットタワーの斜視図であり、図２は、本考案の第１実施形態 によるキャットタワーの正面図であり、図３は、本考案の第１実施形態 によるキャットタワーの後面斜視図である。
【００１７】
一般的に、猫と動物（以下｀猫´と略称する）は、木枝のように高い所に登る行動を好む習性を有しており、一般家庭では、このような高い構造物がないため、猫の習性を満足させにくくなって、そのため、猫がストレスを受ける現象まで発生する。このような猫の習性を満足させるために、猫が段階的に登ることができるように階段と類似の構造を有し、最上位層は、人の背より高い程度に高く製作されるキャットタワーが市販されているが、従来のキャットタワーは、単純に猫が登る構造物の役目をするだけで、前記キャットタワーが設置される空間は、人が使用しない空間になるという問題点がある。
【００１８】
本考案によるキャットタワーは、このような問題点を解決するために、猫が高い地点まで登ることができるように高く製作され、かつ下側空間は、人が家具用途に使用できるように構成されるという点に特徴がある。すなわち、本考案によるキャットタワーは、図１〜図３に示されたように、平たい上面を有する１つ以上の引き出し１００と、上面が平たいプレート形状よりなり、前記引き出し１００の上側に位置し、かつ猫が順次に踏んで登ることができるように階段パターンで配列される２つ以上のステップ板２００と、前記ステップ板２００を前記引き出し１００に結合させる固定板３００とを含んで構成される。
【００１９】
したがって、猫は、引き出し１００の上面とステップ板２００を順次に踏んで登ってキャットタワーの最上層まで登ることができるので、高い所が好きな習性を満足することができ、人は、キャットタワーの下側部位を引き出し１００などのような家具として活用することができる。すなわち、本考案によるキャットタワーは、ステップ板２００の下側空間が空きの空間として浪費されるものではなく、前記ステップ板２００の下側空間に多数個の引き出し１００が設置されるので、空間活用性が非常に高くなるという長所がある。
【００２０】
言い換えれば、従来のキャットタワーを使用するときには、ステップ板の下側空間を空いている空間として放置するが、本考案によるキャットタワーを使用すれば、ステップ板２００の下側部位を引き出し１００のような家具として活用することができるので、室内空間を効率的に活用することができるという長所がある。
【００２１】
一方、本実施形態では、前記引き出し１００に人が服や品物などを収納できるようにスライド方式の引き出しを具備する構造や引き戸構造のドアを具備する構造で構成される場合のみを示しているが、前記引き出し１００の構造は、服や各種物品を収納することができる構造ならどんな構造にも代替されることができる。
【００２２】
また、前記ステップ板２００の個数及び隔離距離、配列方向などは、猫の種類や年齢、身体的特性など様々な条件によって自由に変更することができ、前記ステップ板２００の材質は、木や合成樹脂、織物など多様に適用することができる。
【００２３】
また、前記固定板３００は、ステップ板２００の両側を固定できるように互いに平行な対で具備され、かつキャットタワーの全体設置面積を最小化できるように引き出し１００の外側面に沿って垂直に立設することが好ましい。すなわち、前記一対の固定板３００のうちいずれか１つの固定板３００は、前記たんす１１０の前面と１つの平面を成すように配置され、他の１つの固定板３００は、前記たんす１１０の後面と１つの平面を成すように配置されることが好ましい。このように一対の固定板３００が平行に配置されれば、前記ステップ板２００は、前記一対の固定板３００の間に挿入設置されることによって、堅固に位置を固定することができる。
【００２４】
一方、猫は、高い所に登りたがる本能だけでなく、奥まる所に隠れることが好きな習性を有しているので、前記一対の固定板３００とステップ板２００で取り囲まれた空間を、猫が隠れる空間として活用することができる。例えば、本実施形態に示されたように、垂直に立設した平板形状に製作され、前記ステップ板２００の一側端と前記一対の固定板３００との間に挿入設置される垂直板４００をさらに具備することができる。もちろん、前記垂直板４００には、猫が通過することができるように移動通路４１０が具備されなければならない。
【００２５】
このようにステップ板２００の一側端と前記一対の固定板３００との間に垂直板４００が設置されれば、猫は、一対の固定板３００とステップ板２００及び垂直板４００で取り囲まれた空間に入って隠れることができるので、本考案によるキャットタワーは、高い所に登りたがる猫の習性と閉鎖された空間に隠れたがる猫の習性を共に満足させることができるので、活用度が非常に高くなるという長所がある。この際、一対の固定板３００とステップ板２００及び垂直板４００で取り囲まれた空間が外部と通風されることができ、どの空間に猫が入っているかを外部から容易に認知できるように、前記固定板３００には、多数個の貫通孔３１０が設けられることが好ましい。一方、前記貫通孔３１０は、前記言及した機能以外に、猫が足で踏んで登るステップ部の役目をも行うことができるように、サイズ、位置及び形状を適切に設定することができる。
【００２６】
図４は、本考案の第２実施形態によるキャットタワーの斜視図であり、図５は、本考案の第２実施形態によるキャットタワーの正面図であり、図６は、本考案の第２実施形態によるキャットタワーの後面斜視図である。
【００２７】
本考案によるキャットタワーは、図１〜図３に示された引き出し１００だけでなく、図４〜図６に示されたように、高さが高いたんす１１０を含むように構成することができる。すなわち本考案によるキャットタワーは、前記引き出し１００より高く製作され、かつ上面が猫が座るかまたは立つことができるように平面状に形成され、前記引き出し１００の一側に装着されるたんす１１０をさらに含み、猫が引き出し１００の上面からたんす１１０の上面に登ることができるように、前記ステップ板２００は、引き出し１００の上面から前記たんす１１０の上面まで階段形態で離隔設置される。この際、キャットタワーの設置面積が最小化されるように、前記引き出し１００とたんす１１０は、本実施形態に示されたように、前面及び後面が一致するように、すなわち１つの平面を成すように構成されることが好ましい。
【００２８】
このように引き出し１００に比べて高さが高いたんす１１０が含まれるように構成されれば、猫は、たんす１１０の上面を最上層ステップ板２００として利用するので、ステップ板２００下部の空間を、人が使用する空間（さらに明確には、たんす１１０の用途）として活用することができるので、室内空間の活用度が非常に高くなるという長所がある。
【００２９】
すなわち、猫が隠れることができる空間が多く必要な場合には、図１〜図３に示された実施形態のように、ステップ板２００下部の空間を、猫が隠れることができる空間として活用し、猫が隠れることができる空間があまり不要な場合には、図４〜図６に示された実施形態のように、たんす１１０を追加設置することによって、キャットタワーにおいて人が使用する空間を拡張させることができる。
【００３０】
また、本考案に含まれる引き出し１００は、必ず最も下部にのみ位置するわけではなく、図４〜図６に示された実施形態のように、上下に離隔された２つのステップ板２００の間に具備してもよい。このように２つのステップ板２００の間に引き出し１００が具備されれば、猫は、引き出し１００の上面を踏んで登る用途、すなわちステップ板２００の用途に活用することができるので、ステップ板２００の下側空間の活用性がさらに高くなるという長所がある。
【００３１】
図７は、本考案の第３実施形態によるキャットタワー の斜視図であり、図８は、本考案の第３実施形態によるキャットタワーの正面図であり、図９及び図１０は、本考案の第３実施形態によるキャットタワーに含まれるトイレ容器５００の斜視図及び水平断面図である。
【００３２】
本考案によるキャットタワーは、ステップ板２００の下側空間を、人が使用する引き出し１００だけでなく、猫が使用する構造物として活用することができる。例えば、本考案によるキャットタワーは、図７及び図８に示されたように、直方体形状のボックス形態に製作され、前記引き出し１００の上側または下側に積層構造で結合されるトイレ容器５００をさらに含むように構成することができる。
【００３３】
前記トイレ容器５００は、図９及び図１０に示されたように、前記トイレ容器５００の内部空間の中段を横切るように設置される２つ以上の水平バー５１０と、前記トイレ容器５００の内部空間のうち前記水平バー５１０が設置された地点より上側に位置する空間の一側に具備され、猫出入りが可能なサイズの出入り孔５３２が形成された出入り板５３０と、前記トイレ容器５００の床に積層される猫砂とを含んで構成される。猫が前記のように構成されるトイレ容器５００を使用しようとする場合には、出入り板５３０の出入り孔５３２を通じて水平バー５１０の上側空間に進入した後、水平バー５１０が存在しない開口部５２０を通じてトイレ容器５００の床に入ることによって、猫砂に用を足すことができる。
【００３４】
一般的に、猫が猫砂に用を足す間には、猫砂が猫の足につくので、用を足した猫がトイレ容器５００を出て部屋の床に足を踏む過程で猫砂が部屋の床に落ちて部屋が汚なくなる問題が発生することがある。しかし、本考案によるトイレ容器５００を使用する場合には、用を足した猫が水平バー５１０上に飛び移る過程と水平バー５１０を踏んで歩く過程と出入り孔５３２を通過する過程で猫の足についていた猫砂が、大部分、トイレ容器５００の底部に落ちるので、部屋の床に猫砂が落ちる現象がほとんど発生しないという長所がある。
【００３５】
本実施形態に示されたように、トイレ容器５００が引き出し１００の下部に位置するように構成されれば、猫用トイレの設置空間を別に確保する必要がないので、室内空間の活用性が非常に優れるという長所がある。この際、前記トイレ容器５００は、本実施形態に示されたように、最も下部に位置してもよく、２つの引き出し１００の間に位置してもよく、積層された引き出し１００の最上側に位置してもよい。
【００３６】
一方、猫が踏んで登るための多数個のステップ板２００は、図１〜図３に示された実施形態のように、引き出し１００の上側に上向き離隔するように配列されてもよく、本実施形態に示されたように、たんす１１０の側面に結合されてもよい。特に、たんす１１０が多数個積層され、最上層のたんす１１０の上面が非常に高く位置する場合、床にあった猫が最上層のたんす１１０上面まで登ることができるように、前記多数個のステップ板２００は、たんす１１０の一側面に装着され、かつジグザグパターンで配列されてもよい。もちろん、たんす１１０の下部にトイレ容器５００が位置する場合、前記ステップ板２００は、トイレ容器５００にも装着されてもよい。また、ステップ板２００がトイレ容器５００やたんす１１０の側面に結合される場合、ステップ板２００を固定させるための固定板３００は、本実施形態に示されたように、ステップ板２００の底面を支持するように構成されてもよい。
【００３７】
本考案によるキャットタワーが図７及び図８に示された実施形態のように、トイレ容器５００及び多数個の引き出し１００が非常に高い位置まで多数個積層され、トイレ容器５００及び引き出し１００の一側に結合される複数のステップ板２００を含むように構成される場合、キャットタワーの製作が非常に簡便になると共に、キャットタワーが占める空間を他の用途に最大限活用することができるので、室内空間の活用度が非常に高くなるという長所がある。
【００３８】
以上、本考案を好適な実施形態を使用して詳しく説明したが、本考案の範囲は、特定の実施形態に限定されるものではなく、添付の実用新案登録請求の範囲によって解釈されなければならない。また、この技術分野で通常の知識を習得した者なら、本考案の範囲を逸脱することなく、様々な修正と変形が可能であることを理解すべきである。
【符号の説明】
【００３９】
１００  引き出し
２００  ステップ板
３００  固定板
３１０  貫通孔
４００  垂直板
４１０  移動通路
５００  トイレ容器
５１０  水平バー
５２０  開口部
５３０  出入り板
５３２  出入り孔
【図１】
0003196888.tif 000003
【図２】
0003196888.tif 000004
【図３】
0003196888.tif 000005
【図４】
0003196888.tif 000006
【図５】
0003196888.tif 000007
【図６】
0003196888.tif 000008
【図７】
0003196888.tif 000009
【図８】
0003196888.tif 000010
【図９】
0003196888.tif 000011
【図１０】
0003196888.tif 000012